(57)【要約】【課題】  無線通信システムにおいて検出されるデバイスの識別情報を通信するための方法及びシステムである。【解決手段】  前記デバイスは、無線アクセスネットワーク及び基幹インターネットプロトコル（ＩＰ）ネットワークを有する移動無線ネットワークに接続する。そのように検出されたデバイスの識別情報は、デバイス及びネットワークレベル識別情報の組み合わせによって特定され、管理サーバに通信される。実施形態の例において、基幹ＩＰネットワークのネットワーク要素を用いて、無線デバイスの前記識別情報を検出し、管理サーバに配信する。【選択図】図１
2010531094.tif 000002
【特許請求の範囲】
【請求項１】
無線通信システムにおける無線デバイス（９１０）のデバイス識別情報と前記無線デバイスのネットワークアドレスとの間のマッピングをデバイス管理サーバ（９３０）において更新する方法であって、
前記通信システムのネットワーク要素（９２０）と前記無線デバイスとの間で、前記無線デバイスに対するインターネットプロトコル（ＩＰ）アドレスの割り当てとは独立した対話を行わせるステップと、
前記対話の結果として、前記無線デバイスの前記デバイス識別情報と前記無線デバイスの前記ネットワークアドレスとを含む、前記無線デバイスに関連するマッピング情報を決定するステップと、
前記ネットワーク要素から前記デバイス管理サーバに前記マッピング情報を送信するステップとを含み、
前記マッピング情報が送信される前記デバイス管理サーバのアドレスが、前記無線デバイス、前記ネットワーク要素及び別のネットワーク要素（９４０）の少なくとも一つに格納されることを特徴とする方法。
【請求項２】
前記無線デバイスの前記ネットワークアドレスは、前記無線デバイスに割り当てられたＩＰアドレスを含むことを特徴とする請求項１に記載の方法。
【請求項３】
前記マッピング情報は、前記ＩＰアドレスを前記無線デバイスに割り当てる期間を含むことを特徴とする請求項２に記載の方法。
【請求項４】
前記ネットワーク要素は、ＩＰマルチメディアサブシステム（ＩＭＳ）のコール状態制御機能（ＣＳＣＦ）サーバ及びホーム加入者サーバ（ＨＳＳ）を含むことを特徴とする請求項１に記載の方法。
【請求項５】
前記ネットワーク要素は、インターネットプロトコル（ＩＰ）ネットワークに配置されるホームエージェント及び海外エージェントの内の少なくとも一つを含むことを特徴とする請求項１に記載の方法。
【請求項６】
前記ネットワーク要素は、無線電話システム内のＲＡＤＩＵＳサーバ、ＤＩＡＭＥＴＥＲサーバ及びＡＡＡサーバの内の少なくとも一つを含むことを特徴とする請求項１に記載の方法。
【請求項７】
前記無線デバイスの前記デバイス識別情報は、前記デバイスのＥＳＮ、ＭＥＩＤ、ＩＭＥＩ、ＳＫＵ、ＢＩＯＳストリング、ＭＡＣアドレス及びＭＳＩＳＤＮの内の少なくとも一つを含むことを特徴とする請求項１の方法。
【請求項８】
前記マッピング情報は、前記デバイスが通信するための任意のネットワークインターフェースに関連するＭＡＣアドレスを含む請求項１に記載の方法。
【請求項９】
前記マッピング情報を前記デバイス管理サーバに送信する前記ステップは、前記デバイスの前記デバイス識別情報と前記ネットワークアドレスとの間の前記マッピングが変化する場合には、常に実施されることを特徴とする請求項１に記載の方法。
【請求項１０】
前記デバイス管理サーバの前記アドレス及び要求された信認証明が、選択フィールドを用いる前記ネットワーク要素に、若しくは、ベンダーの拡張をする場合には、前記デバイスに送信される要求メッセージに通信されることを特徴とする請求項１に記載の方法。
【請求項１１】
無線通信システムにおける無線デバイス（１１０）のデバイス識別情報と前記無線デバイスのネットワークアドレスとの間のマッピングをデバイス管理サーバ（１９５）において更新する方法であって、
前記無線デバイスの前記デバイス識別情報と、場所にリンクしたアドレスを含む前記無線デバイスの前記ネットワークアドレスとの間のマッピングを変更するステップと、
前記無線デバイスの前記デバイス識別情報と、前記マッピングの変更の結果としての、前記ネットワークアドレスとを含む、前記無線デバイスに関連するマッピング情報を、前記無線デバイスにおいて決定するステップと、
前記ネットワーク要素から前記デバイス管理サーバに前記マッピング情報を送信するステップとを含み、
前記マッピング情報を送信される前記デバイス管理サーバのアドレスは、前記無線デバイスに格納されることを特徴とする方法。
【請求項１２】
前記無線デバイスの前記デバイス識別情報は、前記デバイスのＥＳＮ、ＭＥＩＤ、ＳＫＵ、ＩＭＥＩ、ＭＳＩＳＤＮ、ＢＩＯＳストリング及びＭＡＣアドレスの内の少なくとも一つを含むことを特徴とする請求項１１の方法。
【請求項１３】
前記マッピング情報は、前記デバイスが通信するためのネットワークインターフェースに関連するＭＡＣアドレスを含む請求項１１に記載の方法。
【請求項１４】
前記マッピングの更新は、アドレス要求、認可要求、セッション要求及び準備要求の内の一つが誘因となることを特徴とする請求項１１に記載の方法。
【発明の詳細な説明】
【技術分野】
【０００１】
本発明は、無線通信ネットワークの分野に関連する。特に、そのようなネットワークにおいて動作するデバイスの識別情報及びネットワークアドレスの追跡に関する。
【０００２】
本出願は、無線ネットワーク通信システムの種々の要素に対する頭字語若しくは略語を含んでいる。便宜上、以下に用語表を記載する。
２Ｇ：第２世代無線ネットワーク
３Ｇ：第３世代無線ネットワーク
４Ｇ：第４世代無線ネットワーク
ＡＡＡ：認証、承認、決算
ＣＤＭＡ：符号分割多重アクセス
ＳＣＳＦ：コール状態制御機能
ＤＨＣＰ：動的ホスト設定プロトコル
ＥＳＮ：電子シリアル番号
ＦＡ：海外エージェント
ＧＳＭ：移動通信のためのグローバルシステム
ＨＡ：ホームエージェント
ＨＳＳ：ホーム加入者サーバ
ＩＭＥＩ：国際移動装置識別情報
ＩＭＳＩ：国際移動加入者識別情報
ＭＡＣ：メディアアクセスコントロール
ＭＥＩＤ：移動装置識別器
ＭＧＭＴサーバ：デバイス管理サーバ
ＭＳＩＳＤＮ：移動基地総合サービスデジタルネットワーク
ＳＩＰ：セッション確立プロトコル
ＳＫＵ：ストックユニット番号
ＳＭＳ：スモールメッセージサービス
ＵＲＬ：ユニバーサルリソースロケータ
ＷｉＭＡＸ：マイクロ波アクセス用世界的相互運用規格
【背景技術】
【０００３】
無線デバイスの遠隔管理は、無線ネットワークにおけるマルチメディアサービスといった向上したサービスを提供するための本質的側面である。空中を介して管理命令を無線デバイスに遠隔的に送信するために、デバイス管理サーバは、デバイスがネットワーク上に存在するか否か、及び、デバイスが存在する場合には、ネットワーク上のどこに、デバイスが存在するか、についてデバイスを識別することが必要である。
【０００４】
移動無線システムの基本ネットワーク構成が発達し、２Ｇ及び３Ｇネットワークのような現在のセルラー方式システムを含む、無線ネットワークの多くの世代をもたらす結果となった。２Ｇ及び３Ｇシステムにおいては、基幹ネットワークの要素は、インターネットプロトコル（ＩＰ）に基づくものではなく、（ＳＳ７通信を用いる）ＩＳ−４１に基づく信号伝達インターフェースを持つ。しかしながら、これは変わり始めており、現在及び将来の配置では、基幹ネットワーク（ＩＭＳ−ＩＰマルチメディアサブシステム及び４Ｇネットワーク）において、インターネットプロトコルの使用が始められている。
【発明の概要】
【発明が解決しようとする課題】
【０００５】
無線通信システムにおける次世代の基幹ネットワークはＩＰの使用を可能とするものとなり、インターネット上には、ネットワーク要素の動作を支援するインターフェース及び機能が見られるようになるであろう。そのようなシステムにおいては、無線デバイスは、無線アクセスポイントを介して基幹ネットワークに接続する。そのようなネットワーク上で通信するために、無線通信デバイスは、ＩＰアドレスを持つ必要があり、デバイス管理サーバといった外部ホストは、無線デバイスのＩＰアドレスを認識し、無線デバイスと通信する必要がある。さらに、複数のインターフェースを持つデバイスにとっては、デバイスの識別情報に加えて、それぞれのインターフェースごとにＩＰアドレスを知る必要もある。
【０００６】
現在の無線ネットワークにおいては、デバイスの存在は、無線動作を検出することによって、検出される。無線動作は、ネットワークにデバイスが存在することを示すが、デバイスの識別情報若しくはデバイスの識別情報の変更について何らの情報も提示しない。例えば、デバイスのＩＰアドレスの期限が切れるか、若しくは、ＩＰアドレスが、再割り当てされることがある。そのような場合には、デバイス管理サーバにとっては、無線ネットワークにおける動作の検出のみでは不十分であり、デバイス管理サーバは、デバイスのＩＰアドレスといった、デバイスの現時点でのルート決定を可能にする識別情報を知る必要がある。
【０００７】
さらに、ＩＰアドレス若しくはネットワークアドレスといったデバイスのルートを可能にする識別情報は、変更されることがあるので、基地局若しくはホーム位置レジスタ（ＨＬＲ）といった無線ネットワークの要素による、登録の時点で無線デバイスの存在を検出することも又、不十分である。したがって、ＩＰマルチメディアサブシステム（ＩＭＳ）、ＷｉＭＡＸ、若しくは、４Ｇ無線通信といった、基幹においてＩＰが使用可能となるネットワークでは、ＩＰ検出のための従来の手法は、実用性がない。
【０００８】
現在のところ、デバイス管理サーバは、ＳＭＳメッセージを用いて無線デバイスに通知を送信する。ＳＭＳメッセージは、デバイスに割り当てられた電話番号若しくはＭＳＩＳＤＮといったデバイスの固定した識別情報を用いて送信される。
【０００９】
しかしながら、より新しい集中型無線デバイスでは、従来の無線ネットワーク、ローカルエリア無線ネットワーク、及び／又は、ＩＰ無線ネットワークに対するインターフェースが使用可能である。そのようなデバイスは、基幹ネットワークにおいて検出可能であり、デバイスから取り出し可能である異なる組の識別情報を持つ。そのような識別情報の例として、ＭＳＮ、ＭＥＩＤ、ストックキーピングユニット（ＳＫＵ）、ＢＩＯＳストリング、ＭＡＣアドレス及びＩＰアドレスが挙げられる。これらの識別情報は、典型的には、デバイス管理サーバといった外部システムによって検索される。しかしながら、ＩＰアドレスといったネットワークアドレスを含むこれらの識別情報の幾つかは、永久的なものではなく、変更されることもある。
【００１０】
セルラー方式のインターフェース及びインターネットインターフェースの両方が使用可能な集中型デバイスでは、デバイスのＩＰアドレスを用いるインターネットインターフェースを介して、サーバ発の通知を送信する必要がある。デバイスＩＭＥＩに対する電話番号若しくはＭＳＩＳＤＮのマッピングは、管理サーバに既知であり、変更もまれである。しかしながら、特定のデバイスに対する電話番号若しくはＭＳＩＳＤＮの関係が変更される場合には、特定のデバイスに対して電話番号を変更することの決定は、典型的には、ネットワークではなく、管理要素によって、若しくは、カスタマーの要求、つまり、ネットワーク外の要求によってなされることになる。ＧＳＭのようなシステムにおいては、電話番号は、ＳＩＭカードに関連し、ＳＩＭカードとデバイスとの関連を変更することは、ＭＳＩＳＤＮとデバイスとのマッピングを変更するという結果をもたらす。
【００１１】
そのような変更を外部システムに通信する仕組みが存在する。典型的には、ＨＬＲが情報提供要素として働き、加入者データベースがＨＬＲによって維持される。
【００１２】
従来の無線ネットワークにおける電話番号若しくはＭＳＩＳＤＮとは異なり、無線デバイスに対してＩＰアドレス付与が可能であるネットワークにおいては、無線デバイスに関連付けられたＩＰアドレスは、動的な度合いが大きく、例えば、ネットワークアドレスの移転の可能性又はネットワークアドレスに対する貸借期間の満了によって変更される事になる。ネットワークアドレスとデバイス識別情報とのマッピングは、典型的には、例えば、動的ホスト設定プロトコル（ＤＨＣＰ）サーバといった、基幹ネットワークの要素によって決定される。代替的には、場所にリンクしたアドレスの場合のように、デバイスのネットワークアドレスが局所的に決定されるようにすることもできる。場所にリンクしたアドレスとは、ハードウェアＭＡＣアドレスに基づく移動デバイスによって局所的に構築されたＩＰアドレスのことである。このアドレスは、ローカルネットワーク内で、ＩＰ通信を利用するために用いられるもので、アドレスの割り当てを受けるためにサーバに連絡する必要はない。移動デバイスが移動するか、若しくは、再割り当てされるときに、移動デバイスに割り当てられたネットワークアドレスは、変更することにある。
【００１３】
従って、移動デバイスのネットワークアドレスを知る必要があるネットワーク要素若しくは外部要素に対し、該移動デバイスのネットワークアドレスが、信頼性のある状態で適時に利用できるようにするための仕組みが必要である。
【課題を解決するための手段】
【００１４】
本発明は、無線通信システムの基幹ネットワークにおける要素が、無線デバイスを検出し、該デバイスの識別情報をデバイス管理サーバに報告する方法に関する。一つの側面においては、本発明は、無線デバイスを認証するか、若しくはＩＰアドレスをデバイスに割り当てるネットワーク要素が、デバイス管理サーバに、無線デバイスに現時点で割り当てられているＩＰアドレス、若しくは、通知が送付されることになっているプロキシのＩＰアドレスを知らせる仕組みを提供する。別の側面においては、本発明は、場所にリンクしたアドレスを割り当て、現時点で割り当てられている、この場所にリンクしたアドレスを管理サーバに通知するようにした、無線デバイスに関する仕組みを提供する。
【００１５】
本発明によれば、デバイスが検出されたときだけでなく、識別情報の変国が検出された場合にも、無線デバイス識別情報の検出及び報告が開始される。この機能は、ＩＰアドレスのデバイスへの割り当て及び登録に関与する基幹ネットワークの要素に、組み込まれる。
【００１６】
本発明の一側面においては、デバイスが、認証の目的で、認可サーバ若しく認証サーバ（ＡＡＡサーバ）に登録されるときに、無線デバイスの識別情報が通信される。この識別情報は、デバイスのハードウェアに関連する物理的識別情報（例えば、ＥＳＮ、ＭＥＩＤ若しくはＩＭＥＩ）及び認可要求の送信を行うネットワークインターフェースの識別情報、例えば、ＭＡＣアドレスを含む。
【００１７】
本発明の別の側面においては、デバイスが動的ホスト設定（ＤＨＣＰ）サーバからＩＰアドレスを割り当てられるときに、無線デバイスの識別情報が通信される。ＤＨＣＰサーバは、アドレスの割り当て要求の間にデバイスから該デバイスの識別情報を取得することがある。デバイスの識別情報及び割り当てられたＩＰアドレスに加えて、通信される追加的な情報は、例えば、ＭＡＣアドレス及びデバイスに対して認可されたＩＰアドレスの割り当て期間を含む。
【００１８】
本発明のさらに別の側面においては、デバイスが、海外エージェント若しくはプロキシコールセッション制御機能（ＣＳＣＦ）のようなネットワーク要素によって検出されたときに、無線デバイスの識別情報は、通信されることがある。デバイスの識別情報及びデバイスに割り当てられたＩＰアドレスに加えて、通信されえる追加的な情報は、例えば、デバイスのＭＡＣアドレス及びデバイスに対して認可されたＩＰアドレスの割り当ての期間を含む。
【００１９】
本発明の更に別の側面においては、ホームエージェント若しくはサービスＣＳＣＦによって、無線デバイスの識別情報が通信される。デバイスの識別情報及びデバイスに割り当てられたＩＰアドレスに加えて、通信され得る追加的な情報は、例えば、デバイスのＭＡＣアドレス及びデバイスに認可されたＩＰアドレスの割り当て期間がある。ホームエージェント若しくはサービスＣＳＣＦは、好ましくは、デバイスに対するＩＰアドレスの割り当ての変更を通信する。このことは、無線デバイスのネットワークの接続点が変わり、異なるネットワークにデバイスが接続する結果となるときに、必要になる。
【００２０】
本発明の更に別の側面においては、特定の無線デバイスの役割を果たす管理サーバのアドレスが、無線デバイスに格納され、該デバイスによって、拡張子として送信されるか、若しくは、標準プロトコルメッセージのプロトコル選択フィールドにおいて、検出、登録、認証若しくはアドレス要求中に、送信される。管理サーバのアドレスが提供され、次いで、ネットワーク要素は、無線デバイスに関する所望の情報（例えば、識別情報、ＩＰアドレスなど）を管理サーバに提供する。
【００２１】
本発明の更に別の側面においては、管理サーバのアドレスが、基幹ネットワークのネットワーク要素として設定される。デバイスが登録、検出、認証若しくはアドレス要求の目的でメッセージを送信する場合には常に、ネットワーク要素は、デバイスの所望の識別情報を管理サーバに送信する。
【００２２】
本発明の上記した若しくは別の特性及び特徴は、図面及び以下に記載される詳細な説明から明らかであろう。
【図面の簡単な説明】
【００２３】
【図１】図１は、従来の第２世代の無線ネットワークのシステム構成を示すブロック図である。
【００２４】
【図２】図２は、別の無線ネットワークシステムを使用可能なＩＰマルチメディアサブシステム（ＩＭＳ）の基幹ネットワークを概念的に示す。
【００２５】
【図３】図３は、デバイスの識別情報及びネットワークアドレスのマッピングを認識する種々のネットワーク要素を概念的に示す。
【００２６】
【図４】図４は、無線デバイスによって生成される要求が、デバイスの識別情報とネットワークアドレスとの間のマッピングを含む基幹ネットワークからのメッセージを誘引する場合があることを示す。
【００２７】
【図５】図５は、ネットワーク要素若しくは無線デバイスに用いられる、管理サーバに無線デバイスの識別情報とネットワークアドレスとの間のマッピングの更新を知らせるか、否かを判断するプロセスのフローチャートを示す。
【００２８】
【図６】図６は、管理デバイスのアドレスを設定されたネットワーク要素からのマッピング更新メッセージを生成するステップを示す例示的なメッセージフローダイアグラムを示す。
【００２９】
【図７】図７は、ネットワーク要素からデバイス管理サーバにマッピング更新メッセージを提供し、ネットワーク要素が、無線デバイスによって供給されるブートストラップ情報から、管理サーバに接続するためにデバイスが必要とする管理サーバのアドレス及び安全信認証明を取得することを特徴とするステップを示す例示的なメッセージフローダイアグラムを示す。
【００３０】
【図８】図８は、ネットワーク要素からデバイス管理サーバにマッピング更新メッセージを提供し、ネットワーク要素が、無線デバイスによって供給されるブートストラップ情報から管理サーバのネットワークアドレスを取得し、ブートストラップ情報は、管理サーバのアドレスが取得され得るデバイスのホームネットワーク内における要素のアドレスを示すことを特徴とするステップを示す例示的なメッセージフローダイアグラムを示す。
【００３１】
【図９】図９は、無線デバイスのネットワークアドレスを用いる無線デバイスに通知メッセージを送信する管理サーバ、及び、管理サーバに接続する無線デバイスを示す。
【００３２】
（発明の詳細な説明）
図１に示すように、例えば、ＧＳＭ及びＣＤＭＡシステムによって代表される従来の無線通信システム１００のネットワーク構成は、ネットワーク要素の階層構造からなる。無線デバイス１１０は基地局１２０に接続され、基地局は、次に、移動切り替えセンタ（ＭＳＣ）１３０に接続し、該移動切り替えセンタが別のネットワーク１９０への接続を行う。デバイス及び加入者の情報が基地局内に維持され、この情報は、ホーム位置レジスタ（ＨＬＲ）１４０及び訪問位置センタ（ＶＬＲ）１５０によってアクセスされる。ネットワークにおけるデバイス及びユーザの認証のために必要なセキュリティキーは、認証センタ（ＡＣ）１７０と呼ばれるネットワーク要素内に維持される。ＨＬＲ１４０は、移動装置識別情報と該移動装置に割り当てられた電話番号との間にマッピングのための追尾起動を維持する。様々なネットワーク要素の間の信号プロトコルは、ＩＳ−４１及びＩＳ−９５といった、ＳＳ７伝送を用いる標準規格に基づいている。
【００３３】
スモールメッセージサービス（ＳＭＳ）を可能にために、ＳＭＳコントローラ（ＳＭＳＣ）１６０が、システム１００内に含まれる。典型的には、別のネットワーク１９０内に位置するデバイス管理サーバ１９５が、ＳＭＳメッセージを用いる無線デバイスに通知を送信する。１０桁電話番号、移動基地総合サービスデジタルネットワーク（ＭＳＩＳＤＮ）番号などといった従来からの移動無線ネットワーク内で典型的に用いられているデバイスに割り当てられた既知の指定を用いて、ＳＭＳメッセージが、無線デバイスに送信される。無線システム１００の対象領域内で無線デバイスが検出されるときには、常に、ＨＬＲ１４０は、デバイスの現在の位置を知らされ、デバイスを認証するための問合せをされ、サービスを提供する。ＨＬＲ１４０は、ネットワーク上で許可されている有効デバイスを認識し、ネットワークに登録された新しいデバイスのことを管理サーバ１９５に知らせるように構築されている。
【００３４】
デバイス管理サーバ１９５は、該サーバが管理する無線デバイスの各々に関し“識別情報”の知識がある。無線デバイスの“識別情報”すなわち“デバイス識別情報”は、典型的には、各無線デバイスに関連する固有で不変のストリングであり、典型的には、各デバイスに格納される。各識別情報の例には、国際移動加入者識別（ＩＭＳＩ）、電子シリアル番号（ＥＳＮ）、移動装置識別（ＭＥＩＤ）、国際移動装置識別（ＩＭＥＩ）若しくはデバイスを個別に識別するデバイス製造業者によって用いられる別のストリングがある。ＨＬＲ１４０に加えて、システム１００内にある無線デバイス１１０の識別情報が既知であり、ＭＳＣ１３０及びＶＬＲ１５０といった無線デバイス要素から取得することができる（若しくは、“認識可能な”）。無線デバイスが、無線ネットワークに登録される場合には、デバイスの識別情報は、所望の外部システムに通信されるようにすることができる。
【００３５】
デバイス管理サーバ１９５は、それが管理する各デバイスの識別情報（例えばＩＭＥＩ）に加え、それらデバイスの各々に対するＭＳＩＳＤＮを知っているようにすることができる。新しいデバイスが加えられた場合には、ＭＳＩＳＤＮが設定ファイルの手段による通信を受けるか、或いは、人為的にデータベース内に入力されるか、若しくは、システム内に入力される。（例えば、ＩＭＥＩとＭＳＩＳＤＮとの）マッピングにおける変更についても、ＨＬＲ１４０によって通信がなされる。ＨＬＲは、マッピングの変更が通信されることになっている外部要素のアドレスも含めるように構築されるべきである。
【００３６】
無線通信システム内において高度なマルチメディアサービスを可能にするために、ＩＰマルチメディアサブシステム（ＩＭＳ）と呼ばれるネットワーク構成が開発された。図２に示すように、ＩＭＳ構成は、インターネットプロトコル（ＩＰ）及び、例えば２Ｇセルラー方式ネットワーク２２０、ＷｉＭＡＸネットワーク２３０、及び／又は３Ｇ／４Ｇ無線ネットワーク２４０といった、一又はそれ以上のラジオアクセスネットワークの作動を支援するＩＭＳ基幹ネットワーク２１０を含む。基幹ネットワーク内における信号伝達機能は、ＩＰを用いて通信するようになった、コール状態制御機能（ＣＳＣＦ）サーバとも呼ばれるセッション確立プロトコル（ＳＩＰ）サーバ（図示せず）によって取り扱われる。ラジオアクセスネットワーク２２０−２４０からの信号伝達及びデータトラフィックは、基幹ネットワークと接触する最初のポイントである種々のＣＳＣＦサーバによって、中継される。
【００３７】
図３に示すように、ホーム加入者サーバ（ＨＳＳ）３３０、認証、認可、決算（ＡＡＡ）サーバ（例えば、ＲＡＤＩＵＳ、ＤＩＡＭＥＴＥＲ）３４０、課金要素３５０、及びアプリケーションサーバ３６０は、全て、基幹ネットワークの一又はそれ以上のＣＳＣＦサーバ３２０に接続される。ホーム加入者サーバ（ＨＳＳ）は、コール／セッションを実際に扱っているＩＭＳネットワーク要素の作動を支援するマスターユーザデータベースである。ＨＳＳは、申し込み関連情報（例えば、ユーザプロフィール）を含み、ユーザの認証及び認可を実行し、ユーザの物理的位置に関する情報を提供することができる。ＨＳＳは、従来のセルラー方式システムのＨＬＲに類似している。動的ホスト設定プロトコル（ＤＨＣＰ）サーバ３４５は、ＡＡＡサーバ３４０に接続される。
【００３８】
さらに、基幹ネットワークの要素（例えば、ＣＳＣＦサーバ３２０）は、ホームエージェント（ＨＡ）３７０及び海外エージェント（ＦＡ）３８０といった支援要素に接続されており、移動ＩＰを用いて、移動性を可能にする。ネットワークアドレスは、支援要素だけでなく、基幹ネットワーク要素のいずれかによって、無線デバイスに割り当てられるようにすることができる。本発明の例示的な実施形態においては、そのようなネットワーク要素が、デバイス管理サーバに、システム内の新しいデバイスの存在を通知し、若しくは、システムに既に存在するデバイスの識別情報に関する新しいマッピングを通知するための仕組みが提供される。
【００３９】
例示的な一実施形態においては、本発明は、無線デバイスの存在を検出し、無線デバイスに認可を与え、ネットワークアドレスを該無線デバイスに割り当てる一又はそれ以上の種々の要素を用いることによって、無線デバイスに割り当てられた無線デバイスの識別情報とネットワークアドレスとのマッピング（若しくは、両者の間の“結び付き”）についての通信を可能にする。既に記載したように、デバイスの識別情報としては、例えば、ＩＭＥＩ、ＭＡＣアドレス、シリアル番号もしくは、デバイスのハードウェアを固有に識別するＳＫＵといった、デバイスのハードウェア内に格納される番号が挙げられる。ネットワークアドレスは、パケットが送られるデバイスのインターフェースに関するアドレスである。本発明によれば、無線デバイスを登録するか、若しくは、ネットワークアドレスを割り当てる責任があるネットワーク要素のいずれも、無線デバイスのネットワークアドレスに対するデバイスの識別情報のマッピングをデバイス管理サーバといった外部システムに通信するように、構成される。
【００４０】
本発明に基づいて動作する場合には、デバイスとネットワーク要素との間で相互作用が起きるときには常に、無線デバイスのネットワークアドレスを検出し、通信するようにすることができる。例えば、ＤＨＣＰサーバが、ＩＰアドレスを無線デバイスに割り当て、デバイスが、アドレスを受け入れる場合に、ＤＨＣＰサーバは、管理サーバにデバイスの識別情報及び割り当てられたネットワークアドレスを通知することができる。同様に、無線デバイスは、ＡＡＡサーバから認証サービスを要求するときに、ＡＡＡサーバは、管理サーバに対するデバイスの識別情報／アドレスのマッピングを通信することができる。これらの二つの場合は、無線デバイスと相互作用をしている間にネットワーク要素がデバイスを検出し、ネットワークアドレスとデバイス識別情報との間のマッピングを配信する方法を説明する。
【００４１】
図４は、無線デバイス５１０からの様々な要求のいずれもが、デバイスの識別情報とネットワークアドレスとの間のマッピングを内容とする、基幹ネットワーク５２０からのマッピングメッセージの生成についての誘因となる。そのようなイベントの誘引になる要求は、例えば、アドレス要求、認証要求、セッション要求、若しくは、供給要求を含む。マッピングメッセージは、基幹ネットワーク５２０から、デバイス５１０に関連するデバイス管理サーバ５３０に送信される。サーバ５３０の配置の例が以下に記載される。
【００４２】
本発明の別の側面においては、ＤＨＣＰサーバ、ＣＳＣＦ、ＨＡ、ＦＡ、ＡＡＡサーバ若しくは、本発明に合致するいずれかの別の要素といった、ＩＭＳによって有効になるネットワークの一又はそれ以上の要素は、無線デバイスの新しい結び付き、若しくは、既に存在する結び付きの変更を検出し、デバイス管理サーバといった外部システムに、検出された変更を通信する。このことは、デバイスを登録するいずれの要求も遮断するステップと、デバイス、アドレス割り当て若しくはセッションの確立を認証するステップと、ネットワークアドレスとデバイスの識別情報との間の既に存在するマッピングを決定するステップと、現在のマッピングと、前記既に存在するマッピングとの間の違いを認識するステップと、ネットワークアドレスとデバイスの識別情報との間の新しいマッピングをデバイス管理サーバに通知するステップとを含む。
【００４３】
別の例示的な実施形態においては、無線デバイス自身は、識別情報／アドレスの結び付きについてのあらゆる変化を検出し、報告するようにすることができる。例えば、デバイス上で動作するソフトウェアエージェントは、マッピングの変化を検出し、デバイスに関連するデバイス管理サーバに、報告するものとすることができる。
【００４４】
ネットワークアドレスとデバイス識別情報とのマッピングは、典型的には、基幹ネットワーク要素によって、決定されるものであるが、無線デバイスのネットワークアドレスは、場所にリンクしたアドレスの場合のように、局所に決定されるようにしてもよい。場所にリンクしたアドレスは、ハードウェアＭＡＣアドレスに基づく移動デバイスのよって局所的に決定されるアドレスである。このアドレスは、アドレス割り当てのためのサーバと連絡することなく、ローカルネットワーク内において、ＩＰ通信を行うために用いられる。移動デバイスが移動するか、若しくは、再割り当てされる場合に、移動デバイスに割り当てられたネットワークアドレスが変更されるようにすることができる。そのようなイベントが起きることが、無線デバイスから、それに関連するデバイス管理サーバにマッピングメッセージを送信するきっかけになる。
【００４５】
図５は、ネットワーク若しくは無線デバイスによって実行され、無線デバイスの結び付きにおける変化を検出し、報告する例示的方法のフローチャートである。６１０は、無線デバイスの既に存在する結び付きを示す。６２０でアドレスを無線デバイスに割り当てると、６３０で、既に存在する結び付き（Ｘ）と新しいアドレスの割り当て（Ｙ）との比較操作が実行される。それらが同じである場合には、続く動作は要求されず、そうでない場合には、結び付きが新しいアドレス割り当てによって更新されることになる６４０に動作が進行する。さらに、６５０で、無線デバイスに対するデバイス管理サーバに新しい結び付きが通知される。
【００４６】
無線デバイス対するアドレスマッピングを外部デバイス管理サーバに、通信するために、そのように動作する要素は、デバイス管理サーバのネットワークアドレスを認識する必要がある。さらに、該要素は、デバイス管理サーバとのセッションを確立するために必要な信認証明を認識する必要もある。そのような信認証明は、セッションを確立するためのデバイス管理サーバによって期待されたプライベートキー、パスワード、若しくは、証明を含む。必要とされる信認証明に沿って、デバイス管理サーバのネットワークアドレスは、ネットワーク要素において、設定されるか（例えば、ネットワーク要素が情報によってプログラムされる。）、無線デバイスから取得されるか、若しくは、無線デバイスからの情報に基づいて第三の要素から取得されるようにすることができる。これらの場合の各々に合致した方法の例を図６−８に示す。
【００４７】
図６は、管理サーバのアドレスを有するように構築されたネットワークにおいてマッピング更新メッセージを生成するステップを示すもので、無線デバイス自身が、管理サーバについての情報を持つ必要がない。本発明は、ＴＣＰ／ＩＰ、ｈｔｔｐ、ｈｔｔｐｓ若しくはいずれかの適切な私有プロトコルといった標準的なプロトコルに従うメッセージ及びメッセージフローを用いて実行されるようにすることができる。
【００４８】
図６に示すように、無線デバイス７１０は、自身の身元証明を含む発見メッセージ（ＤｅｖＩＤ）をネットワーク要素７２０に送信する。発見メッセージは、典型的には、広範囲に配布され、可能な限り多くのネットワーク要素が、発信側からの発見メッセージに応答するようにすることができる。ネットワーク要素７２０は、デバイスの身元証明を用いて、デバイスに関連するデバイス管理サーバのネットワークアドレスを決定する。そのような決定は、例えば、デバイスの身分証明とサーバネットワークアドレスとを関連付けるルックアップテーブル、アルゴリズム、若しくは、別の適切な配列を用いることによって、なされる。ネットワーク要素７２０は、割り当てメッセージにより無線デバイス７１０に応答し、新しいＩＰアドレス（ＩＰ  ＡＤＤＲ）を無線デバイス７１０に割り当てる。無線デバイス７１０は、次に、受け入れメッセージにより応答し、割り当てられたＩＰアドレスを受け入れたことを示す。ネットワーク要素７２０は、次いで、マッピングメッセージを生成し、既に記載したように決定されたネットワークアドレスに位置するデバイス管理サーバ７３０に送信する。マッピングメッセージは、デバイスの新しく割り当てられたネットワークアドレス（ＩＰ  ＡＤＤＲ）及び無線デバイスのデバイス識別子（ＤｅｖＩＤ）を含む。
【００４９】
デバイス管理サーバ７３０と通信するための信認証明が、ルックアップテーブル、アルゴリズム、若しくは、別の適切な配列といったネットワーク要素７２０によって、好ましくは安全な方法で、取得できるようにすることができる。
【００５０】
デバイス管理サーバ７３０が、無線デバイス７１０の新しいＩＰアドレスを持つ状態になると、該サーバ７３０は、新しいＩＰアドレスを含むＩＰ−ＰＵＳＨメッセージを送信することができ、デバイス７１０が開始セッションメッセージによって応答する。
【００５１】
図７は、ネットワーク要素８２０からデバイス管理サーバ８３０にマッピング更新メッセージを提供するステップを説明するメッセージフローダイアグラムの例を示すもので、ここでは、前記ネットワーク要素が、無線デバイス８１０によって供給されるブートストラップ情報からデバイス管理サーバのアドレスを取得する。図７に示すように無線デバイス８１０は、管理サーバの身元証明（ＤｅｖＩＤ）及びアドレス（ＭＧＭＴ  ＡＤＤＲ）を含む発見メッセージを生成する。発見メッセージは、ネットワーク要素８２０に送信される。該ネットワーク要素は、割り当てメッセージによってデバイス８１０に応答し、新しいＩＰアドレス（ＩＰ  ＡＤＤＲ）を無線デバイス８１０に割り当てる。無線デバイス８１０は、次に、受け入れメッセージによって応答し、割り当てられたＩＰアドレスを受け入れたことを示す。ネットワーク要素８２０は、次いで、マッピングメッセージを生成して、無線デバイス８１０から取得されたアドレスＭＧＭＴ  ＡＤＤＲに位置するデバイス管理サーバ８３０にマッピングメッセージを送信する。マッピングメッセージは、デバイスの新しいネットワークアドレス（ＩＰ  ＡＤＤＲ）及び無線デバイス８１０のデバイス識別（ＤｅｖＩＤ）を含む。デバイス管理サーバ８３０と通信する信認証明は、無線デバイスからネットワーク要素８２０によって取得されるようにすることができ、無線デバイス８１０からネットワーク要素８２０への発見若しくは受け入れメッセージ、或いは、別のメッセージに含まれるようにしてもよい。デバイス管理サーバ８３０が無線デバイス８１０の新しいＩＰアドレスを持つ状態になると、該サーバ８３０は、デバイス８１０が開始セッションメッセージに応答するＩＰ−ＰＵＳＨメッセージを新しいＩＰアドレスを伴って送信することができる。
【００５２】
図８は、ネットワーク要素９２０からデバイス管理サーバ９３０にマッピング更新メッセージを提供するステップを説明するメッセージフローダイアグラムの例を示すもので、ここでは、第三の要素９４０からデバイス管理サーバのネットワークアドレスを取得する。第三要素は、無線デバイスのホームネットワーク内にある要素とすることができる。移動デバイスのホームネットワークは、課金及び認証の目的でデバイスが登録されるネットワークである。管理サーバのアドレスが取得できるデバイスのホームネットワーク内にある要素としては、例えば、ＤＨＣＰサーバ、ディレクトリサーバ、若しくは、プロキシサーバがある。
【００５３】
この状況において、ネットワーク要素９２０は、無線デバイス９１０によって供給されるブートストラップ情報を用いる管理サーバ９３０のネットワークアドレスを学習する。ブートストラップ情報は、管理サーバのネットワークアドレスが取得されるホームネットワークにおける第三要素９４０のアドレスを示す。図９に示されるように、無線デバイス９１０は、ネットワーク要素９２０に、自身の身元証明（ＤｅｖＩＤ）及びホームネットワークの身元証明（ＨＮ  ＩＤ）を含む発見メッセージを送信する。ネットワーク要素９２０は、割り当てメッセージによって無線デバイス９１０に応答し、新しいＩＰアドレス（ＩＰ  ＡＤＤＲ）を無線デバイス９１０に割り当てる。無線デバイス９１０は、次に、受け入れメッセージによって応答し、割り当てられたＩＰアドレスを受け入れたことを示す。
【００５４】
ネットワーク要素９２０が無線デバイス９１０から発見メッセージを受信した後の或る時点で、ネットワーク要素９２０は、問合せ（ＭＧＭＴ  ＳＲＶＲ？）を生成し、発見メッセージにおいて指示されたホームネットワークに送信し、該無線デバイス９１０に関連する管理サーバのネットワークアドレスを要求する。ホームネットワーク９４０は、管理サーバ９３０のネットワークアドレス（ＭＧＭＴ  ＡＤＤＲ）によって応答する。ネットワーク要素９２０とホームネットワーク９４０との間における情報交換の全て、若しくは一部は、ネットワーク要素９２０と無線デバイス９１０との間の割り当て及び受け入れメッセージの交換の全て若しくは一部より前若しくは後に行われてもよいことを認識すべきである。
【００５５】
無線デバイス９１０から受け入れメッセージを受信した後に、ネットワーク要素９２０は、マッピングメッセージを、ホームネットワーク９４０から取得したアドレスＭＧＭＴ  ＡＤＤＲに位置するデバイス管理サーバ９３０に送信する。マッピングメッセージは、デバイスの新しく割り当てられたネットワークアドレス（ＩＰ  ＡＤＤＲ）及び無線デバイス９１０のデバイス識別情報（ＤｅｖＩＤ）を含む。デバイス管理サーバ９３０と通信する信認証明は、既に記載したように、無線デバイス９１０、若しくは、ホームネットワーク９４０からネットワーク要素９２０によって取得されるようにすることができる。デバイス管理サーバ９３０が、無線デバイス９１０の新しいＩＰアドレスを持つ上体になったとき、サーバ９３０は、デバイス９１０が開始セッションメッセージに応答するＩＰ−ＰＵＳＨメッセージを新しいＩＰアドレスによって送信することができる。
【００５６】
上述した状況において、ブートストラップ情報は、プロトコル選択フィールド内の一又はそれ以上のメッセージに組み込まれるようにすることができ、また、特別に拡張する場合には、いずれかのプロトコルメッセージ内であるようにしてもよい。さらに、管理サーバに配信される無線デバイスのネットワークアドレスは、デバイスのアドレスであるか、或いは、プロキシ若しくはゲートウェイデバイスのアドレスであってもよい。後者は、デバイスネットワークアドレスが私的なアドレスであり、プロキシを公共のアドレス若しくはルート可能なアドレスを持つ場合に必要である。デバイス管理サーバといった外部システムは、プロキシ若しくはゲートウェイのアドレスであるようなデバイスの公共のアドレス若しくはルート可能なアドレスを知る必要があるであろう。管理サーバからのいずれの要求もプロキシ若しくはゲートウェイによって、中継されることになる。
【００５７】
図９は、デバイス管理サーバが、無線デバイスのネットワークアドレスを取得した時点での、無線デバイス９１０とデバイス管理サーバ９３０との間の典型的な相互作用を示す。デバイス管理サーバ９３０は、意図した受信要素、つまり、この図では、無線デバイス９１０のＩＰアドレスによって、ＩＰ−ＰＵＳＨ通知メッセージを送信する。ＩＰ−ＰＵＳＨ通知メッセージの受信要素は、境界の内側にあるＩＰパケットを受信することができるいずれかの受信機である。デバイス９１０のＩＰの受信機要素９１２は、デバイスに割り当てられたＩＰアドレスの受信を待つ。ＩＰ受信機９１２が無線デバイスのＩＰアドレスによってＩＰ−ＰＵＳＨ通知メッセージを検出する時点で、無線デバイスのデバイス管理（ＤＭ）クライアント９１４は、次いで、管理サーバとの接続を確立する。
【００５８】
上に記載した実施形態は、本発明の応用例を示す実施可能な特定の実施形態のほんの一部であることがわかる。本発明の精神及び権利範囲から離れることなく、多くの様々な別の変更例を、本技術分野の当業者は実施することができる。
【図１】
2010531094.tif 000003
【図２】
2010531094.tif 000004
【図３】
2010531094.tif 000005
【図４】
2010531094.tif 000006
【図５】
2010531094.tif 000007
【図６】
2010531094.tif 000008
【図７】
2010531094.tif 000009
【図８】
2010531094.tif 000010
【図９】
2010531094.tif 000011
【国際調査報告】
2010531094.tif 000012
2010531094.tif 000013
2010531094.tif 000014